(57)【要約】【課題】操作者に合焦のためにフォーカスレンズの駆動すべき方向を知らせる。【解決手段】フォーカスリングの駆動を判定する（Ｓ２１）。合焦の評価値が前回よりも高くなったかを判定し（Ｓ２２）、高い場合は操作者がフォーカスリングを合焦方向に向けて回したと判別し、表示の駆動方向はそのままとする（Ｓ２３）。低くなった場合は逆方向にフォーカスリングを回していると判別し、表示の駆動方向を反転して（Ｓ２４）、表示する（Ｓ２５）。  フォーカスリングが駆動されないと判定されたときは、既に操作者の駆動方向を認識しているので、今後は合焦方向に駆動方向を表示する。フォーカスリングが駆動されると（Ｓ２１）、評価値が前回よりも高くなったかを判定し（Ｓ２２）、高くなれば表示はそのままとする（Ｓ２３）。低くなれば表示を反転し（Ｓ２４）、駆動方向を表示する（Ｓ２５）。【選択図】図５
2008298956.tif 000002
【特許請求の範囲】
【請求項１】
撮影光学系を介して被写体の画像信号を得る画像入力手段と、前記画像信号の特定領域の高周波成分を抽出して合焦の評価値を算出する評価値算出手段と、フォーカスレンズを手動で移動し合焦状態を制御するレンズ駆動手段とを有する撮像装置において、前記レンズ駆動手段により始めに前記フォーカスレンズを駆動すべき初期駆動方向を決定する初期駆動方向決定手段と、該初期駆動方向決定手段により決定された方向に前記レンズ駆動手段を駆動したときに前記評価値の変化に応じて前記フォーカスレンズの駆動方向を判別する駆動方向判別手段と、前記フォーカスレンズを移動すべき方向又は前記合焦状態を表示する合焦情報表示手段とを備えたことを特徴とする撮像装置。
【請求項２】
前記駆動方向判別手段は所定期間又は所定回数の判別を行い、その間の何れの判別においても同様の方向であると判別された場合にのみ、前記合焦情報表示手段の表示を更新することを特徴とする請求項１に記載の撮像装置。
【請求項３】
前記フォーカスレンズ、前記レンズ駆動手段を備えた交換レンズを、前記画像入力手段、前記評価値算出手段を備えたカメラ本体に着脱自在とした請求項１又は２に記載の撮像装置。
【請求項４】
前記初期駆動方向決定手段が前記初期駆動方向を決定するタイミングは、前記交換レンズの前記カメラ本体への取付時としたことを特徴とする請求項３に記載の撮像装置。
【請求項５】
前記初期駆動方向決定手段が前記初期駆動方向を決定するタイミングは、レリーズスイッチを半押しした時であることを特徴とする請求項１又は２に記載の撮像装置。
【請求項６】
操作者が前記駆動方向を表示するか否かを選択する表示切換手段を有し、前記初期駆動方向決定手段が前記初期駆動方向を決定するタイミングは、前記表示切換手段により前記駆動方向を表示することを選択した時としたことを特徴とする請求項１又は２に記載の撮像装置。
【請求項７】
前記駆動方向決定手段は毎回同じ方向に決定することを特徴とする請求項３〜６の何れか１つの請求項に記載の撮像装置。
【請求項８】
前記初期駆動方向決定手段はランダムな方向に決定することを特徴とする請求項３〜６の何れか１つの請求項に記載の撮像装置。
【請求項９】
前記初期駆動方向決定手段は前記レンズ駆動手段の可動範囲に対して、現在のフォーカスレンズ位置から移動端までの距離が短い方向又は長い方向に決定することを特徴とする請求項３〜６の何れか１つの請求項に記載の撮像装置。
【請求項１０】
前記合焦情報表示手段に表示する前記駆動方向は、前記合焦状態であることの他に、右か左、又は右回転か左回転を１又は複数の段階とし、取付可能な前記交換レンズの種類や焦点距離又は敏感度に応じて前記段階を切換えることを特徴とする請求項３又は４に記載の撮像装置。
【発明の詳細な説明】
【技術分野】
【０００１】
本発明は、手動フォーカス設定時に合焦情報又はフォーカスリングの駆動方向を表示して操作者に知らせることが可能な撮像装置に関するものである。
【背景技術】
【０００２】
一眼レフレックスカメラのような撮像装置においては、撮像素子と撮像光学系の間に配置されたハーフミラーを用いて、撮影光学系からの光束をファインダ光学系及び焦点検出ユニットに導くことで、被写体像の観察及び自動焦点調節を行っている。或いは、ミラーを撮影光路から退避させて撮影光学系からの光束を撮像素子に到達させることによって撮影動作を行っている。また、反射ミラーが撮影光路内に配置されているときには、位相差検出方式による焦点調節を行い、反射ミラーが撮影光路から退避しているときには、撮像素子の出力を用いてコントラスト検出方式による焦点調節を行うものがある。
【０００３】
近年では、撮像素子から読み出された画像をＥＶＦ（電子ビューファインダ）で表示させるライブビューモードにおいて、コントラスト検出方式による焦点調節を行う技術が提案されている。これはライブビューモードでは反射ミラーが撮影光路から退避しており、コントラスト検出方式による焦点調節しかできないためである。
【０００４】
このように、露出決定やピント合わせ等の撮影にとって重要な作業は全て自動化され、カメラ操作に未熟な操作者でも撮影の失敗を起こす可能性は極めて少なくなっている。しかし、一方で逆に操作者が好きなように露出やピント等を設定し、撮影したいという要求もある。
【０００５】
ピント合わせにおいては、操作者が手動で所望の位置にピントを合わせることができるように、フォーカスレンズを手動で移動し、フォーカスを制御できるようになっているものが知られている。この機能を用いて、ライブビューモードで撮影する場合に、操作者はＥＶＦやＬＣＤ（液晶表示装置）等のモニタに表示される被写体像が、最も鮮明になるように撮影しようとする。このとき、完全に操作者任せではなく、操作者を補助する意味で、モニタにどの程度ピントが合っているか、またどの方向にどれだけフォーカスリングを回せば合焦するかをデジタルに表示することが望ましい。
【０００６】
そこで、特許文献１のようにフォーカス枠内画像に対応する画像データのコントラスト評価値を算出し、フォーカスレンズ位置とコントラスト評価値のヒストグラムを生成し、ファインダ画像に表示する撮像素子が開示されている。
【０００７】
【特許文献１】特開２００３−２６２９１０号公報
【発明の開示】
【発明が解決しようとする課題】
【０００８】
しかし、モニタの画面程度の大きさでは、被写体像の鮮鋭度を操作者が判別し難く、間違えてフォーカスレンズを合焦点と逆方向に動かしてしまうという問題がある。その解決手段として、合焦方向にフォーカスリングの回転方向を表示するという方法があるが、そのためにはカメラがフォーカスリングの駆動方向を判別する必要がある。
【０００９】
コントラスト検出方式では、所望の合焦位置が近い側に存在するのか、又は遠方に存在するのかがカメラ側では分からない。また、フォーカスレンズの絶対位置を検出するという方法もあるが、位置検出用センサが必要となり、コストアップは避けられないという問題がある。
【００１０】
本発明の目的は、上述の問題点を解消し、操作者に合焦操作方向を知らせ得る撮像装置を提供することにある。
【課題を解決するための手段】
【００１１】
上記目的を達成するための本発明に係る撮像装置の技術的特徴は、撮影光学系を介して被写体の画像信号を得る画像入力手段と、前記画像信号の特定領域の高周波成分を抽出して合焦の評価値を算出する評価値算出手段と、フォーカスレンズを手動で移動し合焦状態を制御するレンズ駆動手段とを有する撮像装置において、前記レンズ駆動手段により始めに前記フォーカスレンズを駆動すべき初期駆動方向を決定する初期駆動方向決定手段と、該初期駆動方向決定手段により決定された方向に前記レンズ駆動手段を駆動したときに前記評価値の変化に応じて前記フォーカスレンズの駆動方向を判別する駆動方向判別手段と、前記フォーカスレンズを移動すべき方向又は前記合焦状態を表示する合焦情報表示手段とを備えたことにある。
【発明の効果】
【００１２】
本発明に係る撮像装置によれば、操作者がどの方向にフォーカスリングを回せば、合焦状態に向かうかどうかを直感的に知り得ることを、コストアップを殆どすることなく実現できる。
【発明を実施するための最良の形態】
【００１３】
本発明を図示の実施例に基づいて詳細に説明する。
【実施例１】
【００１４】
図１は実施例１のデジタルカメラの外観斜視図を示し、交換レンズ１がカメラ本体２の前面に着脱自在に取り付けられている。交換レンズ１には、手動フォーカス時にフォーカス操作を行う手動フォーカスリング３、オートフォーカス操作（ＡＦ）と手動フォーカス（ＭＦ）操作とを切換えるＡＦ−ＭＦ切換レバー４が設けられている。また、カメラ本体２にはレリーズスイッチ５が設けられ、このレリーズスイッチ５は半押し状態の第１ストローク（ＳＷ１）で測光・測距を行い、全押し状態の第２ストローク（ＳＷ２）で撮影記録する２段スイッチから成っている。
【００１５】
図２はこのデジタルカメラの背面図である。カメラ本体２の上端部には内蔵フラッシュが設けられており、カメラ本体２の上面及び背面には、複数の入力キー６が設けられ、更に背面には撮影画像のライブビュー表示や記録画像の再生表示等を行うＬＣＤから成る液晶ディスプレイ７が設けられている。
【００１６】
図３は交換レンズ１とカメラ本体２とから成るカメラシステムのブロック回路構成図を示し、参考のために像振れ補正レンズも図示している。交換レンズ１の撮影光学系として、光軸Ｏ上にフォーカスレンズ１１、ズームレンズ１２、像振れ補正レンズ１３、絞り１４が配列されている。
【００１７】
交換レンズ１内にはレンズＭＰＵ１５が設けられ、像振れ補正レンズ１３の補正レンズエンコーダ１６の出力、信号処理回路１７を介して角速度センサ１８の出力、像振れ補正オン／オフ選択用スイッチ１９の出力が接続されている。また、レンズＭＰＵ１５はフォーカス制御回路２０を介して駆動用モータ２１、ズームエンコーダ２２、像振れ補正回路２３を介してリニアモータ２４、絞り制御回路２５を介してステッピングモータ２６に接続されている。
【００１８】
フォーカスレンズ１１はレンズＭＰＵ１５からの制御信号によりフォーカス制御回路２０、駆動用モータ２１を介して駆動される。フォーカス制御回路２０には、フォーカスレンズ１１の移動に応じたゾーンパターン信号やパルス信号を出力するフォーカスエンコーダも含まれ、被写体距離はこのフォーカスエンコーダにより検知される。
【００１９】
ズームレンズ１２は撮影者が図示しないズーム操作リングを操作することにより移動し、ズームエンコーダ２２はズームレンズ１２の移動に応じたゾーンパターン信号を出力する。撮影像倍率はレンズＭＰＵ１５がフォーカスエンコーダとズームエンコーダ２２からの信号を読み取り、被写体距離と焦点距離の組み合わせにより、予め記憶されている撮影像倍率データを読み出すことによって得られる。
【００２０】
像振れ補正レンズ１３は像振れ補正回路２３、リニアモータ２４を介して駆動される。像振れ補正において、回転振れを検出する角速度センサ１８の振れ信号が信号処理回路１７で信号処理され、レンズＭＰＵ１５に入力される。レンズＭＰＵ１５は補正レンズ駆動目標信号を算出し、この補正レンズ駆動目標信号と補正レンズエンコーダ１６から出力される補正レンズ位置信号との差に応じた駆動信号を像振れ補正回路２３に出力する。像振れ補正はこのように補正レンズエンコーダ１６から出力される補正レンズ位置信号を、像振れ補正回路２３にフィードバックすることで行われる。
【００２１】
絞り１４はレンズＭＰＵ１５からの制御信号により、絞り制御回路２５及びステッピングモータ２６を介して駆動される。
【００２２】
光軸Ｏの延長上のカメラ本体２内には、クイックリターン主ミラー３１、クイックリターン主ミラー３１の裏側に配列されたサブミラー３２、フォーカルプレーンシャッタ３３、ＣＣＤやＭＯＳから成る撮像素子により撮像部３４が配列されている。クイックリターン主ミラー３１の反射方向にはペンタプリズム３５が設けられ、被写体像はペンタプリズム３５により測光手段３６、光学ファインダ３７に分岐されるようになっている。また、クイックリターン主ミラー３１のハーフミラー面を透過した光束のサブミラー３２による反射方向に測距手段３８が設けられている。
【００２３】
撮像部３４の出力はＣＤＳ回路（二重相関サンプリング回路）３９、ゲインコントロール回路４０、Ａ／Ｄ変換器４１を経て映像信号処理回路４２に接続されている。映像信号処理回路４２はカメラＭＰＵ４３、バッファメモリ４４、液晶ディスプレイ７に相当する液晶ディスプレイ４５、メモリカード４６に接続されている。カメラＭＰＵ４３には操作部４７の出力、測距手段３８の出力が接続されている。また、カメラＭＰＵ４３の出力はシャッタ駆動回路４８を介してフォーカルプレーンシャッタ３３、タイミングジェネレータ４９を介して撮像部３４に接続されている。
【００２４】
また、交換レンズ１側のインタフェース回路５１と、カメラ本体２側のインタフェース回路５２とが接続されている。
【００２５】
被写体からの撮影光束は交換レンズ１内の撮影光学系を通り、撮影準備中は中央部分がハーフミラーとなっているクイックリターン主ミラー３１により一部が反射され、ペンタプリズム３５において正立像となる。撮影者はこの正立像を光学ファインダ３７において被写体像として確認することができる。ここで、カメラ本体２に交換レンズ１が装着されている状態で、後述する像振れ補正装置の初期化動作を行うと、光学ファインダ３７を通してその初期化動作による像変動を撮影者は視認することになる。
【００２６】
測光手段３６は図示しないピント板面上の照度を測定して、その測定結果をカメラＭＰＵ４３に入力し、カメラＭＰＵ４３は露光時間、絞り量などの撮影条件を決定する。測光手段３６内の測光センサは、複数のエリアに分割されており、エリアごとの測光結果を得ることができる。
【００２７】
クイックリターン主ミラー３１の裏面に配置されたサブミラー３２は、クイックリターン主ミラー３１のハーフミラー面を通過した光束を測距手段３８に入射させる。測距手段３８は入射した光束を光電変換及び信号処理して測距データを作成し、カメラＭＰＵ４３に入力する。
【００２８】
撮影動作に入ると、クイックリターン主ミラー３１及びサブミラー３２はペンタプリズム３５側に退避し、フォーカルプレーンシャッタ３３がシャッタ駆動回路４８により駆動され、撮影光束は撮影光学画像として画像入力され撮像部３４の面上に結像する。この撮影光学画像は撮像部３４によって光電変換され撮像信号となる。
【００２９】
タイミングジェネレータ４９は撮像部３４の蓄積動作、読み出し動作及びリセット動作などを制御する。ＣＤＳ回路３９は撮像部３４の蓄積電荷ノイズを低減し、ゲインコントロール回路４０は撮像信号を増幅し、Ａ／Ｄ変換器４１は増幅された撮像信号をアナログからデジタルの画像データに変換する。
【００３０】
映像信号処理回路４２はＡ／Ｄ変換器４１でデジタル化された画像データに、フィルタ処理、色変換処理及びガンマ処理などを行う。映像信号処理回路４２で信号処理された画像信号はバッファメモリ４４に格納され、液晶ディスプレイ４５に表示されたり、着脱可能なメモリカード４６に記録される。
【００３１】
操作部４７はカメラメインスイッチ、撮影モードの設定、記録画像ファイルサイズの設定、撮影時のレリーズスイッチ５から成るスイッチ類である。
【００３２】
カメラＭＰＵ４３はカメラ本体２の上述の動作を制御する他に、画像信号の特定領域の高周波成分を抽出して合焦の評価値を算出する機能を持つ評価値算出手段を有する。また、カメラＭＰＵ４３はカメラ本体２側のインタフェース回路５２及び交換レンズ１側のインタフェース回路５１を介して、レンズＭＰＵ１５と相互に通信する。この通信では、交換レンズ１にフォーカス駆動命令を送信したり、カメラ本体２や交換レンズ１の内部の動作状態や光学情報などのデータを送受信する。
【００３３】
図４は実施例１におけるカメラＭＰＵ４３による初期駆動方向決定手段の動作フローチャート図である。このルーチンでは、操作者が始めにフォーカスリングを回すまでに表示しておく駆動方向を決定し、或る方向を駆動方向として決定し（ステップＳ１１）、決定された駆動方向を液晶ディスプレイ４５に表示する（ステップＳ１２）。ここで表示された駆動方向は、次に操作者がフォーカスリングを回すまで表示され続け、この時点ではその方向が合焦方向かどうかは不明である。
【００３４】
図５はフォーカスリングの駆動方向判別手段の動作フローチャート図である。先ず、フォーカスリングが駆動したかどうかを判定する（ステップＳ２１）。つまり、初期駆動方向決定手段で決定した駆動方向を液晶ディスプレイ４５に表示してからは、フォーカスリングが駆動されるのを待ち、駆動されるとステップＳ２２に進む。フォーカスリングが駆動されたかどうかは、エンコーダによりハード的に駆動そのものを検知すればよい。或いは、評価値算出手段により算出した評価値が、所定値以上に変動したことによりソフト的に検知するようにしてもよい。
【００３５】
次に、評価値算出手段による評価値が前回よりも高くなったかどうかを判定し（ステップＳ２２）、高くなった場合は操作者によるフォーカスリングの回す方向が合焦方向に向かったと判別する。したがって、表示の駆動方向はそのままとし（ステップＳ２３）、低くなった場合は現在表示されている駆動方向にフォーカスリングを回す方向が合焦方向とは逆に向かっていると判別し、駆動方向を反転して表示を更新する（ステップＳ２４）。その後に、判別された駆動方向を液晶ディスプレイ４５に表示する（ステップＳ２５）。
【００３６】
また、ステップＳ２１でフォーカスリングが駆動されなかったと判定されたときは、何もせずに次回以降はフォーカスリングが駆動される度に、この処理を繰り返す。ただし、カメラ本体２は既に操作者の駆動方向を認識しているので、今後は合焦方向に駆動方向を表示する。評価値の変化が駆動量に対し所定量を下回った場合に、合焦点に至り合焦状態となったと判別し合焦情報表示を合焦マークとする。
【実施例２】
【００３７】
図６は実施例２における方向判別から駆動方向の表示に至るまでの動作フローチャート図である。実施例２は初期駆動方向に対し操作者が間違えて逆に回してしまった場合、或いは表示を見ずに駆動してしまった場合の対策であり、方向判別手段が実施例１と異なる。
【００３８】
所定時間又は所定回数（以後所定期間と云う）をクリアする（ステップＳ３１）。所定期間はどれだけの期間、図５に示した方向判別を行うかの値である。所定期間内に方向判別処理を行うことで、間違って表示とは逆に回してしまったと気付いたときに、直ちに戻すという動作に対応する。所定回数を１にした場合には実施例１と同様になる。
【００３９】
次に、所定期間を経過したかどうかを判定する（ステップＳ３２）。この時点では、ステップＳ３１で所定期間をクリアしているので、当然経過していないと判定される。所定期間が経過していない場合に方向判別が行われ（ステップＳ３３）、これは図５のステップＳ２１〜Ｓ２４まで処理と同様である。したがって、ここでは表示すべき駆動方向のみを判別するだけであり、まだ駆動方向の表示には至らない。
【００４０】
ステップＳ３３で判別された表示すべき駆動方向が、前回と比較して反転したかどうかを判定する（ステップＳ３４）。これは液晶ディスプレイ４５に表示されている駆動方向が反転したかを判定するのではなく、この時点では初期駆動方向決定手段で決定された駆動方向が表示されたままである。駆動方向が反転されていなければ（ステップＳ３４）、タイマか又はカウンタをカウントアップする（ステップＳ３５）。反転されていれば、タイマか又はカウンタをクリアする（ステップＳ３６）。このようにしてステップＳ３２により、所定期間中常に同じ方向をステップＳ３３で判別したかどうかを判定することができる。所定期間を経過したと判定されれば、そのときまでにステップＳ３３で判別した方向を駆動方向と決定し（ステップＳ３７）、液晶ディスプレイ４５に表示する（ステップＳ３８）。
【００４１】
次回以降は実施例１と同様であり、図５のステップＳ２１〜Ｓ２５が実行される。
【実施例３】
【００４２】
実施例３は実施例１、２に対して初期駆動方向決定手段のタイミングを明示する形態である。タイミングとしては、交換レンズ１がカメラ本体２に取り付けられた瞬間、或いは交換レンズ１が取り付けられている状態で、レリーズスイッチ５が半押し（ＳＷ１）されたときである。
【００４３】
図７は実施例３における初期駆動方向決定手段のタイミングを表す動作フローチャート図である。初期駆動方向決定手段は操作部４７のレリーズスイッチ５のＳＷ１オン、交換レンズ１をカメラ本体２への取付時のタイミング、或いは表示方法切換手段によって駆動方向表示の設定のタイミングに同期する。
【００４４】
カメラ本体２のステップＳ４０ａにおける何らかの処理中にＳＷ１オン、又はレンズ取付通信又は駆動方向表示の事象が発生したときに（ステップＳ４１）、割り込み処理で初期駆動方向決定手段（ステップＳ４２）を行う。
【００４５】
図８はカメラ本体２のステップＳ４０ｂにおける何らかのメイン処理と、ステップＳ４０ｃにおける他の何らかの処理の間で、レリーズスイッチ５のＳＷ１オン、レンズ認識用のフラグ、駆動方向表示中のフラグを確認する処理（ステップＳ４３）が設けられている。ステップＳ４０ａ、４０ｃのメイン処理のどこかでレリーズスイッチ５のＳＷ１が押されたときに、ＳＷ１オンのフラグを立てる。また、交換レンズ１が取り付けられたときに交換レンズ１を認識するフラグを立て、或いは駆動方向表示の設定に切換わると駆動方向を表示中であるというフラグを立てる。次に、このループでステップＳ４３を通ったときには、何れかのフラグが立っているので、図４の処理と同様のステップＳ４２の初期駆動方向の決定処理が行われる。
【実施例４】
【００４６】
実施例４では初期駆動方向決定手段において、初期駆動方向を具体的に決定する方法である。初期駆動方向判別手段の処理内容は実施例１、２と全く同様であり、またそのタイミングは実施例３の通りである。
【００４７】
初期駆動方向を決定するには、次の（ａ）〜（ｄ）の４つが挙げられる。（ａ）毎回同じ方向に決定する。（ｂ）ランダムな方向に決定する。（ｃ）現在のフォーカスレンズ１１の位置から可動範囲の移動端までの距離が短い方向に決定する。（ｄ）現在のフォーカスレンズ１１の位置から移動端までの距離が長い方向に決定する。
【００４８】
（ａ）の毎回同じ方向に決定する場合には、交換レンズ１やカメラ本体２の設定に全くよらず、実施例３のタイミングで、図４のステップＳ１１において右回り、或いは左回りと決定する。
【００４９】
図９は（ｂ）のランダムな方向に決定する場合に、ステップＳ１１に置き換わるべき動作フローチャート図である。先ず、乱数を生成し（ステップＳ５１）、生成した乱数の最下位１ビットを見て、１であれば右回転と決定し（ステップＳ５３）、０であれば左回転と決定する（ステップＳ５４）。この処理はあくまでランダムに何れの回転かを決定する手段の一例であり、ステップＳ５３とＳ５４は逆でもよいし、また、乱数の最下位１ビットで判断する必要もなく、ランダムに決定されれば十分である。
【００５０】
図１０は（ｃ）の現在のフォーカスレンズ位置から移動端までの距離が短い方向に決定する場合の動作フローチャート図であり、図４のステップＳ１１に置換すべき処理である。フォーカスレンズ１１の位置を検出する（ステップＳ６１）。ここで、通常の交換レンズはフォーカスレンズの絶対位置までは分からないが、大まかに現在鏡筒のどのあたりに位置するかということ程度は分かることを前提とする。フォーカスレンズ１１の大まかな位置が分かると、無限遠側の方が近いか否かを判定し（ステップＳ６２）、近ければ右回転（ステップＳ６３）、近くなければ左回転（ステップＳ６４）と決定する。
【００５１】
また、（ｄ）の現在のフォーカスレンズ１１の位置から移動端までの距離が長い方向に決定する場合には（ｃ）の逆である。即ち、図１０によれば、ステップＳ６２で無限遠の方が近いと判定されれば左回転と決定し（ステップＳ６４）、近くないと判定されれば右回転と決定する（ステップＳ６３）。
【実施例５】
【００５２】
図１１は実施例５における駆動方向の表示法の一例を示し、駆動方向を様々な方法で表示している。また初期駆動方向判別手段の処理内容も実施例１、２と全く同様であり、また初期駆動方向決定手段のタイミングは実施例３の通りである。
【００５３】
駆動方向を表示する場合に、（ａ）に示すように三角マークで表示してもよいし、或いは矢印や文字で表示してもよいし、（ｂ）に示すように回転方向を示すこともできる。また、合焦と判別された場合は、（ｃ）に示すように駆動方向の中央の丸を点滅表示してもよいし、×や四角のような他のマークでもよく、文字でもよい。
【００５４】
更に、取付可能な交換レンズ１の種類、焦点距離、敏感度に応じて、（ｄ）に示すように駆動すべき大きさの表示を２段階〜複数段階にすることも可能である。広角レンズの取付時や焦点距離が短い時等の敏感度が小さい場合には、フォーカスレンズ１１を多少大きく回したほうが早めに合焦する。このとき、操作者に大きく回したほうがよいことを知らせるために、複数段階の駆動方向を表示することは好適である。図１２は敏感度に応じた駆動方向の表示切換えの一例を示している。
【００５５】
図１３は本実施例における駆動方向を液晶ディスプレイ４５の一部に表示したときの説明図であり、駆動方向の表示法として、液晶ディスプレイ４５の下段に図１１（ａ）の表示方式を用いている。
【図面の簡単な説明】
【００５６】
【図１】実施例１のカメラの外観斜視図である。
【図２】背面図である。
【図３】カメラ本体と交換レンズのブロック回路構成図である。
【図４】初期駆動方向決定手段の動作フローチャート図である。
【図５】フォーカスリングの駆動方向判別手段の動作フローチャート図である。
【図６】実施例２の動作フローチャート図である。
【図７】実施例３の動作フローチャート図である。
【図８】初期駆動方向手段を行う場合の動作フローチャート図である。
【図９】実施例４の動作フローチャート図である。
【図１０】初期駆動方向をフォーカスレンズの位置から移動端までの距離が近い方とする場合の動作フローチャート図である。
【図１１】実施例５における駆動方向の表示法の説明図である。
【図１２】駆動方向の表示切換えの説明図である。
【図１３】ディスプレイに移動方向表示をしたときの説明図である。
【符号の説明】
【００５７】
１  交換レンズ
２  カメラ本体
３  手動フォーカスリング
４  ＡＦ−ＭＦ切換レバー
５  レリーズスイッチ
６  スイッチ
７、４５  液晶ディスプレイ
１１  フォーカスレンズ
１２  ズームレンズ
１３  像振れ補正レンズ
１４  絞り
１５  レンズＭＰＵ
１６  補正レンズエンコーダ
１８  角速度センサ
２３  像振れ補正回路
３４  撮像部
３８  測距手段
４２  映像信号処理回路
４３  カメラＭＰＵ
４７  操作部
【図１】
2008298956.tif 000003
【図２】
2008298956.tif 000004
【図３】
2008298956.tif 000005
【図４】
2008298956.tif 000006
【図５】
2008298956.tif 000007
【図６】
2008298956.tif 000008
【図７】
2008298956.tif 000009
【図８】
2008298956.tif 000010
【図９】
2008298956.tif 000011
【図１０】
2008298956.tif 000012
【図１１】
2008298956.tif 000013
【図１２】
2008298956.tif 000014
【図１３】
2008298956.tif 000015